(57)【要約】      （修正有）【課題】  障子の他の構成材と無関係に室内側框構成材の着脱を自由に行える複合框を提供する。【解決手段】  パネル受入溝４を備えた室外側框構成材１の室内側面に、Ｌ字形の係合部片５と接続部片７を見付け方向に並べてそれぞれ突設する。前記係合部片５で成る前記接続部片７側開口の受入溝に、室外側面に取付片９と見付け方向に並べて突設した係止片８を係合して室内側框構成材２を前記室外側框構成材１に重合する。そして、前記接続部片７に該接続部片７の見付け方向外側に重ねた前記取付片９をねじ止めする。【選択図】図１
2007126919.tif 000002
【特許請求の範囲】
【請求項１】
パネル受入溝を備えた室外側框構成材の室内側面に、Ｌ字形の係合部片と接続部片を見付け方向に並べてそれぞれ突設し、前記係合部片で成る前記接続部片側開口の受入溝に、室外側面に取付片と見付け方向に並べて突設した係止片を係合して室内側框構成材を前記室外側框構成材に重合すると共に、前記接続部片に該接続部片の見付け方向外側に重なり合う前記取付片をねじ止めした、複合框。
【発明の詳細な説明】
【技術分野】
【０００１】
本発明は、概し、断熱効果を図るためにアルミ押出し形材で成る室外側框構成材の室内側に樹脂材や木材で成る室内側框構成材を配して構成した複合サッシの障子框組体を構成する複合框に関するものである。
【背景技術】
【０００２】
断熱効果を意図する複合框の構成態様としてアルミ材を室外側框構成材とし、該構成材の室内側に木材や樹脂の室内側框構成材を配して、アルミ材が室内側に露出することを避けるようにした構造のものは具体例を挙げるまでもなく知られているところであるが、該複合框は、ガラス等のパネルの受入溝を室外側框構成材（アルミ材）と木材等の室内側框構成材で構成しているのが一般である（例えば、特許文献１）。
【０００３】
【特許文献１】特許第２６３０５５６号公報
【発明の開示】
【発明が解決しようとする課題】
【０００４】
従来例はパネル受入溝を室外側框構成材であるアルミ材と室内側框構成材である木材で構成するため、室外側框構成材から室内側框構成材を分離する必要が生じたとき（室内側框構成材を木材で構成した場合、容易に損傷を受けたり、或いは意匠的な変化を求めて室内側框構成材を取り替える場合がある）、当該室内側框構成材のみの分離に留まらず、パネルを含めた全体を分解してその作業を行う必要があり、煩雑である。
【０００５】
本発明は、従来例の斯様な欠点に着目し、障子の他の構成材と無関係に、室内側框構成材の着脱を自由に行える複合框を提供すべく創案したものである。
【課題を解決するための手段】
【０００６】
パネル受入溝を備えた室外側框構成材の室内側面に、Ｌ字形の係合部片と接続部片を見付け方向に並べてそれぞれ突設し、前記係合部片で成る前記接続部片側開口の受入溝に、室外側面に取付片と見付け方向に並べて突設した係止片を係合して室内側框構成材を前記室外側框構成材に重合すると共に、前記接続部片に該接続部片の見付け方向外側に重なり合う前記取付片をねじ止めした、構成としたものである。
【発明の効果】
【０００７】
本発明によれば、室外側框構成材に設けた受入溝に室内側框構成材の係止片を見付け方向に係合する一方で、室外側框構成材の接続部片と、該接続部片と見付け方向に重なり合う室内側框構成材の取付片を互いにねじ止めするだけで、前記室内、外の框構成材を見込み方向に重合させた状態で互いに止着した複合框を得られ、また、ねじを緩めるだけで両框構成材を簡単に分離することができ、両框構成材の着脱操作を容易に行える複合框を提供できる。
【実施例】
【０００８】
図面は、本発明に係る複合框の一実施例を示し、図１は横断面図、図２は室外側框構成材と室内側框構成材を分解して示した横断面図、図３は本発明を適用した障子框組体の斜視図、図４は図３の上框部の縦断面図である。
【０００９】
図示のものは、内外引違いサッシの外障子の縦框に本発明を適用したもので、縦框（複合框）Ａはアルミ押出し形材で成る室外側框構成材１と木材（合成樹脂でも良い）で成る室内側框構成材２を互いに組付けて構成したものである。
【００１０】
室外側框構成材１は、中空方形主体３見付け方向の一端（縦框Ａの内端）にガラス等のパネル受入溝４を設け、前記中空方形主体３の室内側部片３ａと前記受入溝４の室内側構成部片４ａとで構成する室内側面１ａの前記室内側部片４ａ部分には、突出部片５ａと該突出部片５ａの先端に直角方向に連設した屈曲部片５ｂとで成るＬ字型の係合部片５を突設して、前記見付け方向の一端に対応する他の一端側を開口状にした受入溝６を設け、また、前記室内側面１ａの前記室内側構成部片３ａ部分には、前記係合部片５と見付け方向に並ぶ接続部片７を突設して構成したものである。
【００１１】
前記室内側框構成材２は、室外側框構成材１とほぼ同一の見付け幅とした木製平板体で成り、その室外側面２ａには係止片８と取付片９を見付け方向に並べて突設したものである。
【００１２】
係止片８は、ややボビン状の合成樹脂体を軸線方向に貫通させた取付けねじ１０で止着して前記室内側框構成材２に、室外側框構成材１の係合部片５（受入溝６）との対応位置にして設けたものである。
【００１３】
なお、係止片８を周溝を備えたボビン状体にしたのは、係合部片５（受入溝６）に係合する係止部８ａの方向を選ばずに、当該係止片８を前記取付けねじ１０で止着することができるようにしたためである。
【００１４】
前記取付片９は、室内側框構成材２の長手（縦）方向に沿って長い平板状の基盤９ａの室外側面に取付部片９ｂを突設し、前記基盤９ａの前記見付け方向の他の一端側にヒンジ部９ｄを介してカバー部片９ｃを連設し、前記取付部片９ｂの先端（室外端）に前記見付け方向の他の一端側方向に折曲状にして設けた受止部片９ｂ´に掛止する引っ掛け部片９ｃ´を前記カバー部片９ｃの先端に設けて構成したものである。
【００１５】
そして、取付片９は、基盤９ａの室外側面に設けた突条１１を室内側框構成材２に設けた縦溝１２に係合するようにして基盤９ａを室内側框構成材２の室外側面に重ね合わせ、基盤９ａの所要個所に設けた透孔に取付ねじ１０Ａを貫通させて室内側構成材２に螺入させて締付け、室外側構成材１の前記接続部片７に対応させて設けたものである。
【００１６】
室内、外側の框構成材１，２は、係止片８と取付片９を見付け方向に並べて突設した室内側框構成材２を見付け方向に沿わせて移動させて、係止片８を係止部８ａにおいて室外側框構成材１に設けた受入溝６に係合して係合部片５に係止させると同時に、取付片９を取付部片９ｂにおいて室外側框構成材１に設けた接続部片７の外側面に重ね合わせ、該取付部片９ｂに設けた透孔１３を通じて接続部片７側に、透孔１３と一致させるようにして設けたねじ孔１４に固定螺子１５を螺合締付けることによって、室内、外側の框構成材１，２は互いに止着され（一体的となって）、縦框Ａを構成する。
【００１７】
なお、ヒンジ部９ｄを利用してカバー部片９ｃを室外方向に折り曲げ、引っ掛け部片９ｃ´を受止部片９ｂ´に掛止することによって固定螺子１５の頭部は套装され、外観体裁の良好な複合框（実施例では縦框Ａ）を得ることができる。
【００１８】
また、室外側框構成材１の室内側面１ａの内側端（前記見付け方向の一端）には、該内側端を構成する、パネル受入溝４の室内側構成部片４ａに室内方向に突設した支持部片１６に支持させてスペーサ兼用の水気密材１７を設け、室内、外側の框構成材１，２間に介在するようにして前記框構成材１，２間への空気の流入を防ぐようにしてある。
【００１９】
本発明に係る縦框Ａを構成材とする図３の障子（ガラスパネルは図示省略）Ｓは、前記縦框Ａと召合わせ框Ａ´および上、下框Ｂ，Ｂ´を、上、下框Ｂ，Ｂ´を内側にして印ろう接合したもので、上、下框Ｂ，Ｂ´（下框Ｂ´の詳細は図示省略）は、アルミ押出し形材で成る室外側框構成材Ｂ１，Ｂ´１と木材製の室内側框構成材Ｂ２，Ｂ´２を、室内側框構成材Ｂ２，Ｂ´２の室外側面に上下一対にして突設した係止部片２０，２０´を室外側框構成材Ｂ１，Ｂ´１の室外側面に設けた上下の受止部片２１，２１´に係止して互いに組付け、該上下框Ｂ，Ｂ´の見付け方向の一端をアルミ押出し形材でのみ成る前記召合わせ框Ａ´に突き合わせ、召合わせ框Ａ´に上下框Ｂ，Ｂ´の室外側框構成材Ｂ１,Ｂ´１をタッピングねじで止着する一方、上下框Ｂ，Ｂ´の室内側框構成材Ｂ２，Ｂ´２の、縦框Ａ側の末端に設けた、室内側から室外側方向に傾斜面ａ´部に連続する末端部ａを、縦框Ａの、前記室内側框構成材２に設けた切欠ｂにのみ込ませるようにして縦框Ａを上下框Ｂ，Ｂ´の見付け方向の一端に突き合わせ、アルミ形材で成る室外側框構成材１，Ｂ１又はＢ´１同士を互いにタッピングねじで締付け構成したものである。
【００２０】
従って、図３の障子は、ヒンジ部９ｄを利用してカバー部片９ｃを原位置に戻して固定螺子１５を接続部片７（ねじ孔１４）より離脱させると、縦框Ａの室内側構成材２は室外側框構成材１（乃至障子又は障子框組体）より離脱させることができ、当該室内側框構成材２は、障子の他の構成材と無関係に該他の構成材との着脱を自由に行えることができるのである。
【００２１】
そして、この室内側框構成材２と前記召合わせ框Ａ´には単に挟まれた状態で、また、室外側框構成材Ｂ１，Ｂ´１に対しては係止部片２０，２０´と受止部片２１，２１´との係止関係においてのみ該構成材Ｂ１，Ｂ´１に対して組付けてある室内側框構成材Ｂ２，Ｂ´２は、室外側框構成材Ｂ１，Ｂ´１すなわち障子体から分離することができ、図３で示す障子は、木製の室内側框構成材２，Ｂ２，Ｂ´２をアルミ押出し形材で成る框組体（室外側框構成材１，Ｂ１，Ｂ´１や召合わせ框Ａ´）と無関係に、すなわち、分解することなく着脱が行えるようになっている。
【００２２】
図中、４´はパネル受入溝、１７´は縦框Ａに設けたと同様の水気密である。
【図面の簡単な説明】
【００２３】
【図１】横断面図。
【図２】室外側框構成材と室内側框構成材を分解して示した横断面図。
【図３】本発明を適用した障子框組体の斜視図。
【図４】図３の上框部の縦断面図。
【符号の説明】
【００２４】
１      室外側框構成材
２      室内側框構成材
４      パネル受入溝
５      係合部片
７      接続部片
８      係止片
９      取付片
【図１】
2007126919.tif 000003
【図２】
2007126919.tif 000004
【図３】
2007126919.tif 000005
【図４】
2007126919.tif 000006